(57)【要約】足のアーチが最も高い舟状骨を含むショパール関節からリスフラン関節の間に設けられた第２横溝は第１横溝よりも深く、かつ、第３横溝と同じか又はそれよりも深い。そのため、ミッドソールの残部が薄く、靴底が底屈し易くなって、前記最も高いアーチの部位が上方に変位するのを容易にする。したがって、長時間の運動を続けてもアーチが低下するのを抑制し得る。一方、少なくとも１本の第３横溝を含む屈曲領域は距骨の真下に設けられ、他の横溝よりも幅が大きい。そのため、距骨の真下において後足部が屈曲するのを容易にし、前記アーチの部位が上方に変位するのを助長する。【選択図】図４
2014068635.tif 000002
【特許請求の範囲】
【請求項１】
靴底であって、
接地面１ｓを有し少なくとも前足部Ｆおよび後足部Ｒに配置されたアウトソール１と、
前記アウトソール１の上方に配置され前記前足部Ｆ、中足部Ｍおよび後足部Ｒに設けられたミッドソール２とを備え、前記アウトソール１及び／又はミッドソール２は、
第１趾〜第３趾の中足趾節関節ＭＰ及び／又は基節骨Ｂ３の骨底Ｂ３０の位置において、内側縁１０から少なくとも足の長軸Ａ１に至るまで連続的に横方向Ｘに延びる第１横溝Ｇ１と、
第１趾のショパール関節ＪＳからリスフラン関節ＪＬの後端Ｓｂまでの間において、前記内側縁１０から少なくとも前記長軸Ａ１に至るまで連続的に横方向Ｘに延びる少なくとも１本の第２横溝Ｇ２と、
距骨Ｔａの前端Ｔｆから後端Ｔｂまでの間において、前記内側縁１０から少なくとも前記長軸Ａ１に至るまで連続的に横方向Ｘに延びる少なくとも１本の第３横溝Ｇ３とを定義し、ここにおいて、
前記第２および第３横溝Ｇ３は前記靴底の底面１ｓ，２ｓから上方に向かって凹むように設けられ、
前記各溝Ｇ１〜Ｇ３は各溝を定義する前壁面Ｆｗと前記前壁面Ｆｗに対面する後壁面Ｂｗとを有し、
前記少なくとも１本の第３横溝Ｇ３の前記前壁面Ｆｗのうち最も前方の前壁面Ｆｗから前記少なくとも１本の第３横溝Ｇ３の前記後壁面Ｂｗのうち最も後方の後壁面Ｂｗまでの屈曲領域ＢＡの幅Ｄａの平均値が前記第１横溝Ｇ１の平均溝幅Ｄ１よりも大きく、かつ、前記各第２横溝Ｇ２の平均溝幅Ｄ２よりも大きく、
前記少なくとも１本の第２横溝Ｇ２の平均深さＨ２は、前記第１横溝Ｇ１の平均深さＨ１よりも大きく、かつ、前記各第３横溝Ｇ３の平均深さＨ３と同じか又はそれよりも大きい。
【請求項２】
請求項１の靴底において、前記第３横溝Ｇ３のうち少なくとも１本の第３横溝Ｇ３の平均溝幅Ｄ３は、前記第１横溝Ｇ１の平均溝幅Ｄ１よりも大きく、かつ、前記各第２横溝Ｇ２の平均溝幅Ｄ２よりも大きい。
【請求項３】
請求項２において、第１中足骨Ｂ４の骨底Ｂ４０または骨体Ｂ４１の真下の位置に前記内側縁１０から少なくとも前記長軸Ａ１に至るまで連続的に横方向Ｘに延びる補助的な横溝Ｇ４が更に設けられている。
【請求項４】
請求項３において、前記補助的な横溝Ｇ４の平均深さＨ４は前記第２横溝Ｇ２の平均深さＨ２よりも小さく、かつ、前記補助的な横溝Ｇ４の平均溝幅は前記第３横溝Ｇ３のうちの少なくとも１本の第３横溝Ｇ３の平均溝幅Ｄ３よりも小さい。
【請求項５】
請求項１の靴底において、
前記第１横溝Ｇ１は前記接地面１ｓから上方に向かって凹んでいる。
【請求項６】
請求項５の靴底において、前記各溝Ｇ１〜Ｇ３は前記前壁面Ｆｗおよび後壁面Ｂｗと上方の天面Ｔ０とで定義され、
前記ミッドソール２の上面から前記第１横溝Ｇ１の天面Ｔ０までの厚さＴ１が、最も薄い部分において０．５ｍｍ以上１２ｍｍ未満に設定され、
前記ミッドソール２の上面から前記第２横溝Ｇ２の天面Ｔ０までの厚さＴ２が、最も薄い部分において０．５ｍｍ以上１０ｍｍ以下に設定され、
前記ミッドソール２の上面から前記第３横溝Ｇ３の天面Ｔ０までの厚さＴ３が、最も薄い部分において０．５ｍｍ以上１０ｍｍ以下に設定されている。
【請求項７】
請求項１の靴底において、
前記第２および第３横溝Ｇ２，Ｇ３の最大深さＨｍは５ｍｍ以上４０ｍｍ以下で、
前記各第２横溝Ｇ２の最大深さＨｍは当該最大深さを持つ横溝の部分が設けられた真上のミッドソール２の部分の肉厚よりも大きく、
前記各第３横溝Ｇ３の最大深さＨｍは当該最大深さを持つ横溝の部分が設けられた真上のミッドソール２の部分の肉厚よりも大きい。
【請求項８】
請求項１の靴底において、
前記第２および第３横溝Ｇ２，Ｇ３の平均深さＨ２，Ｈ３は５ｍｍ以上４０ｍｍ以下で、
前記各第２横溝Ｇ２のうちの少なくとも１本の第２横溝Ｇ２の平均深さＨ２は当該横溝の部分が設けられた真上のミッドソール２の部分の平均肉厚Ｔ２ａよりも大きく、
前記各第３横溝Ｇ３のうちの少なくとも１本の第３横溝Ｇ３の平均深さＨ３は当該横溝の部分が設けられた真上のミッドソール２の部分の平均肉厚Ｔ３ａよりも大きい。
【請求項９】
請求項１の靴底において、
前記第２横溝Ｇ２は靴底を横断するように前記内側縁１０から足の外側縁１１まで連続的に延びており、
前記第２横溝Ｇ２は足の内側の平均深さの方が足の外側の平均深さよりも大きい。
【請求項１０】
請求項１の靴底において、
前記第３横溝Ｇ３は靴底を横断するように前記内側縁１０から足の外側縁１１まで連続的に延びており、
前記第３横溝Ｇ３は足の内側の平均深さの方が足の外側の平均深さよりも大きい。
【請求項１１】
請求項１の靴底において、
前記第２横溝Ｇ２は複数本設けられ、前記少なくとも２本の各第２横溝Ｇ２の平均深さＨ２は、前記第１横溝Ｇ１の平均深さＨ１よりも大きく、かつ、前記各第３横溝Ｇ３の平均深さＨ３と同じか又はそれよりも大きい。
【請求項１２】
請求項２の靴底において、
前記第３横溝Ｇ３は複数本設けられ、前記第３横溝Ｇ３のうち少なくとも２本の各第３横溝Ｇ３の平均溝幅は、前記第１横溝Ｇ１の平均溝幅Ｄ１よりも大きく、かつ、前記各第２横溝Ｇ２の平均溝幅Ｄ２よりも大きい。
【請求項１３】
請求項１の靴底において、
前記靴底には前記第１横溝Ｇ１から前記第３横溝Ｇ３まで延びる縦溝ＧＬが更に形成され、
前記縦溝ＧＬ内に配置され、前記第１横溝Ｇ１よりも前方の前記前足部Ｆから前記第３横溝Ｇ３よりも後方の前記後足部Ｒまで延び、前記前足部Ｆおよび前記後足部Ｒにおいて前記靴底に固定され、前記ミッドソール２およびアウトソール１よりも伸びにくい素材からなるバンド部３０を更に備える。
【請求項１４】
請求項１３の靴底において、
前記バンド部３０の下面には当該バンド部３０よりも摩耗しにくい耐摩耗材３１が付着され、前記バンド部３０と前記耐摩耗材３１とでバンド３が形成されている。
【請求項１５】
請求項１４の靴底において、
前記バンド３の底面は、接地面１ｓよりも上方に配置されている。
【発明の詳細な説明】
【技術分野】
【０００１】
本発明はウィンドラスメカニズムに着目した靴底に関する。
【背景技術】
【０００２】
靴底の底面に横方向に延びる横溝を複数本ないし多数本設けた靴は周知である。
【先行技術文献】
【特許文献】
【０００３】
【特許文献１】ＵＳ７，１６８，１９０  Ｂ１（フロントページ）
【特許文献２】ＵＳ２０１１−０１６７４６  Ａ１（フロントページ）
【特許文献３】ＵＳ２０１１−２３２１３０  Ａ１（フロントページ）
【特許文献４】ＰＣＴ／ＵＳ２００４／０３３１１１（要約）
【特許文献５】ＪＰ０７−２８９３０６  Ａ（要約）
【発明の概要】
【０００４】
しかし、これらの先行技術はウィンドラスメカニズムに着目し、同メカニズムを利用するものではないだろう。
ここで、ＭＰ関節の過伸展時に、足底腱膜が緊張し踵骨が前方に引き寄せられ、アーチ高が高くなることが知られており、この一連の運動がウィンドラスメカニズムと呼ばれている。
【０００５】
ウィンドラスメカニズムによってアーチが上昇することで、歩行や走行などの蹴り出し時にキック力の効率よい伝達が可能となることが知られている。一方、アーチの低下は扁平足や外反母趾の原因となり得る。
【０００６】
近年、採用されている中足部を樹脂パーツで固めたシューズではソール中足部が変形しにくく、足の動きが拘束される。そのため、足のアーチの変形が小さくなる傾向にある。そのため、足趾部が屈曲しやすい構造をしていても、ソールのアーチ部が上方に向かって凸となるように屈曲しない。
【０００７】
一方、近年ソールが変形しやすいシューズも発売されているが、これらのシューズはソールのアーチ部が落ち込み足のアーチの低下を招きやすい。そのため、これらのシューズでアーチの上昇は起こりにくい。すなわち、走行時にウィンドラスメカニズムによる利点を発揮しやすいシューズは開発されていない。
【０００８】
したがって、本発明の目的はウィンドラスメカニズムを利用することで、足のアーチ高の上昇や維持を図ることのできる靴底の構造を提供することである。
【０００９】
本発明の靴底は、
接地面を有し少なくとも前足部および後足部に配置されたアウトソールと、
前記アウトソールの上方に配置され前記前足部、中足部および後足部に設けられたミッドソールとを備え、前記アウトソール及び／又はミッドソールは、
第１趾〜第３趾の中足趾節関節及び／又は基節骨の骨底の位置において、内側縁から少なくとも足の長軸に至るまで連続的に横方向に延びる第１横溝と、
第１趾のショパール関節からリスフラン関節の後端までの間において、前記内側縁から少なくとも前記長軸に至るまで連続的に横方向に延びる少なくとも１本の第２横溝と、
距骨の前端から後端までの間において、前記内側縁から少なくとも前記長軸に至るまで連続的に横方向に延びる少なくとも１本の第３横溝とを定義し、ここにおいて、
前記第２および第３横溝は前記靴底の底面から上方に向かって凹むように設けられ、
前記各溝は各溝を定義する前壁面と前記前壁面に対面する後壁面とを有し、
前記少なくとも１本の第３横溝の前記前壁面のうち最も前方の前壁面から前記少なくとも１本の第３横溝の前記後壁面のうち最も後方の後壁面までの屈曲領域の幅の平均値が前記第１横溝の平均溝幅よりも大きく、かつ、前記各第２横溝の平均溝幅よりも大きく、
前記少なくとも１本の第２横溝の平均深さは、前記第１横溝の平均深さよりも大きく、かつ、前記各第３横溝の平均深さと同じか又はそれよりも大きい。
【００１０】
本発明によれば、第２横溝および第３横溝の存在により、靴底の中足部から後足部が上に向かって凸型に変形（屈曲）することが可能となる。そのため、爪先が上を向いてＭＰ関節が第１横溝において伸展した挙上時に、少なくとも足底腱膜を含む足底筋群が上方に向かって巻き上げられ、前記足底腱膜が緊張し足のアーチが高くなるのを容易にする。
【００１１】
特に、足のアーチが最も高い舟状骨を含むショパール関節からリスフラン関節の間に設けられた第２横溝は第１横溝よりも深く、かつ、第３横溝と同じか又はそれよりも深い。そのため、ミッドソールの残部が薄く、靴底が屈曲し易くなって、前記最も高いアーチの部位が上方に変位するのを容易にする。
すなわち、中足部に補強装置を設けない場合、足のアーチに沿って中足部のミッドソールは厚くなる傾向にある。そのため、第２横溝の深さが大きいことで、ミッドソール全体が平均的に厚くても、第２横溝において靴底が屈曲し易い。
したがって、長時間の運動を続けてもアーチが低下するのを抑制し得る。
【００１２】
一方、少なくとも１本の第３横溝を含む屈曲領域は距骨の真下に設けられ、他の横溝よりも幅が大きい。そのため、距骨の真下において後足部が屈曲するのを容易にし、前記アーチの部位が上方に変位するのを助長する。
【００１３】
なお、第２横溝の溝幅は屈曲領域の幅よりも小さく、そのため、アーチが低下するのを抑制し得る。また、前記屈曲領域の幅が広く、そのため、圧縮変形し易く、踵に加わる衝撃を緩衝し得る。
【００１４】
本発明において「屈曲領域」の文言は、第３横溝が複数の場合、距骨の真下の複数の第３横溝の前壁面のうちの最も前方の前壁面から複数の第３横溝の後壁面のうちの最も後方の後壁面までの距離に対する複数の第３横溝の溝幅の合計値の溝比が３０％以上１００％未満であることを意味する。３０％未満の場合、十分な屈曲し易さが得られないからである。なお、同様の理由から前記溝比は４０％以上が好ましく、５０％以上が最も好ましい。
【００１５】
本発明において、「足の長軸」は、母趾球の中心と小趾球の中心との中点と踵の中心とを結んだ直線で表される。
また、「横方向に延びる」の文言は、前記長軸に直交する真横の他に、斜めに傾いたり、湾曲して延びる形状を含むことを意味する。
また、「第１横溝が第１趾〜第３趾のＭＰ関節（中足趾節関節）又は基節骨の骨底の位置において横方向に延びる」の文言は、第１横溝の少なくとも一部が第１趾〜第３趾のＭＰ関節又は基節骨の骨底の一部と重なるように設けられていることを意味する。
【００１６】
本発明において、「溝幅」の文言は、溝が開口する下端における幅を意味する。したがって、平均溝幅とは、前記溝が開口する下端における幅の平均値を意味する。なお、「平均溝幅」の文言は、局所的に第１又は第２横溝の幅が屈曲領域の幅よりも大きくてもよいことを意味する。
【００１７】
各溝の溝幅は１ｍｍ〜５０ｍｍ程度が好ましい。
各溝の溝幅を１ｍｍ以上とする理由は、中足部において靴底が上方に向かって凸形に屈曲するのを許容するためである。なお、溝幅が５０ｍｍを超えると、足の支持の安定性が阻害されるだろう。
【００１８】
なお、「平均深さ」の文言は、局所的に第１又は第３横溝が第２横溝よりも深くてもよいことを意味する。また、溝がＶ字状又はＵ字状の場合の平均深さとは、長軸に平行な断面における最も大きい深さを平均した値を意味する。つまり、Ｖ字状やＵ字状の谷を連ねた部位についての平均深さを意味する。
【図面の簡単な説明】
【００１９】
【図１】図１は本発明の実施例１にかかる左足用の靴の概略内側面図である。
【図２】図２は同右足用の靴の概略外側面図である。
【図３】図３は同概略底面図である。
【図４】図４は同靴の靴底が屈曲した状態で示す概略内側面図である。
【図５】図５は実施例２の靴底の概略底面図である。
【図６】図６は本発明の実施例３にかかる靴の概略内側面図である。
【図７】図７は本発明の実施例４にかかる靴の概略内側面図である。
【図８】図８は本発明の実施例５にかかる靴の概略内側面図である。
【図９】図９は本発明の実施例６にかかる靴底の概略内側面図である。
【図１０】図１０は実施例７の靴底の概略底面図である。
【図１１】図１１は本発明の実施例８にかかる靴の概略断面図である。
【図１２】図１２は同靴の靴底が屈曲した状態で示す概略断面図である。
【図１３】足の骨格を示す平面図である。
【図１４】図１４Ａ、図１４Ｂおよび図１４Ｃは、それぞれ、試験例１、試験例２および比較例についての試験結果を示すグラフである。
【発明を実施するための形態】
【００２０】
好ましくは、前記第３横溝のうち少なくとも１本の第３横溝の平均溝幅は、前記第１横溝の平均溝幅よりも大きく、かつ、前記各第２横溝の平均溝幅よりも大きい。
この場合、後足部の屈曲性能は更に高まるだろう。
【００２１】
更に好ましくは、第１中足骨の骨底または骨体の真下の位置に前記内側縁から少なくとも前記長軸に至るまで連続的に横方向に延びる補助的な横溝が更に設けられている。
この場合、前記補助的な横溝が前記最も深い第２横溝の若干前方に配置されていることで、前記舟状骨を頂点としたアーチの形状に沿って靴底がスムースに屈曲し易いだろう。
【００２２】
なお、骨体とは骨底と骨頭との間の部位をいい、一般に滑らかに太さが変化している。骨底とは各骨における後方（踵側）の関節に近い部位で若干膨らんだ部位をいい、近位骨頭とも呼ばれている。一方、骨頭とは各骨における前方（爪先側）の関節に近い部位で若干太く膨らんだ部位をいい、遠位骨頭とも呼ばれている。
【００２３】
更に好ましくは、前記補助的な横溝の平均深さは前記第２横溝の平均深さよりも小さく、かつ、前記補助的な横溝の平均溝幅は前記第３横溝のうち少なくとも１本の第３横溝の平均溝幅よりも小さい。
深さおよび幅の小さい補助的な横溝は、前記舟状骨を頂点としたアーチ形状に沿った靴底の屈曲を更にスムースにするであろうし、また、前記足のアーチが低下するのを助長するおそれがないであろう。
【００２４】
好ましくは、前記第１横溝は前記接地面から上方に向かって凹んでいる。
これにより、ＭＰ関節が第１横溝において伸展しやすくなる。
【００２５】
この場合、更に好ましくは、前記各溝は前記前壁面および後壁面と上方の天面とで定義され、
前記ミッドソールの上面から前記第１横溝の天面までの厚さが、最も薄い部分において０．５ｍｍ以上１０ｍｍ以下１２ｍｍ未満に設定され、
前記ミッドソールの上面から前記第２横溝の天面までの厚さが、最も薄い部分において０．５ｍｍ以上１０ｍｍ以下に設定され、
前記ミッドソールの上面から前記第３横溝の天面までの厚さが、最も薄い部分において０．５ｍｍ以上１０ｍｍ以下に設定されている。
【００２６】
この場合、前記最も薄い部分において、ミッドソールが屈曲する。したがって、前記第１横溝の天面までの厚さが前記最も薄い部分で１２ｍｍを超えていたり、前記第２および第３横溝の天面までの厚さが前記最も薄い部分で１０ｍｍを超えているとミッドソールが屈曲しにくいだろう。
前記最も薄い部分が０．５ｍｍ未満になるとミッドソールの製造が難しくなるだろう。
【００２７】
好ましくは、前記第２および第３横溝の最大深さは５ｍｍ以上４０ｍｍ以下で、
前記各第２横溝の最大深さは当該最大深さを持つ横溝の部分が設けられた真上のミッドソールの部分の肉厚よりも大きく、
前記各第３横溝の最大深さは当該最大深さを持つ横溝の部分が設けられた真上のミッドソールの部分の肉厚よりも大きい。
【００２８】
この場合、第２および第３横溝が深いことで、ミッドソールの中足部に薄肉の部分が形成され、中足部における靴底の屈曲が可能となる。
【００２９】
好ましくは、前記第２および第３横溝の平均深さは５ｍｍ以上４０ｍｍ以下で、
前記各第２横溝のうちの少なくとも１本、好ましくは２本以上の第２横溝の平均深さは当該横溝の部分が設けられた真上のミッドソールの部分の平均肉厚よりも大きく、
前記各第３横溝のうちの少なくとも１本の第３横溝の平均深さは当該横溝の部分が設けられた真上のミッドソールの部分の平均肉厚よりも大きい。
【００３０】
この場合、第２および第３横溝が深く、かつ、ミッドソールが薄いことで、中足部における靴底の屈曲が更に容易となる。
【００３１】
なお、前記最大深さや平均深さが５ｍｍ未満であると、靴底が屈曲しにくいだろう。一方、これらの値が４０ｍｍを超えると靴底が厚くなりすぎるだろう。
【００３２】
好ましくは、前記第２横溝は靴底を横断するように前記内側縁から足の外側縁まで連続的に延びており、
前記第２横溝は足の内側の平均深さの方が足の外側の平均深さよりも大きい。
【００３３】
足のアーチは外側よりも内側の方が高い。したがって、第２横溝の平均深さは内側の方が外側よりも大きいことで、足のアーチの上昇に伴って靴底が屈曲し易い。
【００３４】
好ましくは、前記第３横溝は靴底を横断するように前記内側縁から足の外側縁まで連続的に延びており、
前記第３横溝は足の内側の平均深さの方が足の外側の平均深さよりも大きい。
【００３５】
足のアーチは外側よりも内側の方が高い。したがって、第３横溝の平均深さは内側の方が外側よりも大きいことで、足のアーチの上昇に伴って靴底が屈曲し易い。
好ましくは、前記第２横溝は複数本設けられ、前記少なくとも２本の各第２横溝の平均深さは、前記第１横溝の平均深さよりも大きく、かつ、前記各第３横溝の平均深さと同じか又はそれよりも大きい。
この場合、中足部が滑らかに屈曲し易い。
【００３６】
好ましくは、前記第３横溝は複数本設けられ、前記第３横溝のうち少なくとも２本の各第３横溝の平均溝幅は、前記第１横溝の平均溝幅よりも大きく、かつ、前記各第２横溝の平均溝幅よりも大きい。
この場合、足のアーチの後部に沿って中足部の後端が滑らかに屈曲し易い。
【００３７】
好ましくは、前記靴底には前記第１横溝から前記第３横溝まで延びる縦溝が更に形成され、
前記縦溝内に配置され、前記第１横溝よりも前方の前記前足部から前記第３横溝よりも後方の前記後足部まで延び、前記前足部および前記後足部において前記靴底に固定され、前記ミッドソールおよびアウトソールよりも伸びにくい素材からなるバンド部を更に備える。
【００３８】
この場合、足趾が挙上した際に、バンド部に足底腱膜と同様の負荷が掛かるが、このときバンドが伸びにくいため、靴底が屈曲する。そのため、前記足趾の挙上時にアーチが上昇し易い。
【００３９】
更に好ましくは、前記バンド部の下面には当該バンド部よりも摩耗しにくい耐摩耗材が付着され、前記バンド部と前記耐摩耗材とでバンドが形成されている。
この場合、バンドを接地面に近い部位に配置することができる。
【００４０】
更に好ましくは、前記バンドの底面は、接地面よりも上方に配置されている。
【００４１】
路面に石などの突出物がある場合、バンドが当該突出物を踏むことで靴底に不用意に屈曲力が加わるおそれがある。バンドの底面が浮いていることで前記不用意な屈曲を抑制し得る。
【実施例】
【００４２】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００４３】
以下、本発明の実施例が図面にしたがって説明される。
図１〜図４は実施例１を示す。なお、発明を分かり易く説明するために、図１は左足用の靴の内側面を示し、逆に、図２は右足用の靴の外側面図を示す。【００４４】
図１および図２に示すように、靴底はアウトソール１およびミッドソール２を備えている。なお、各図においてはアウトソール１の接地面１Ｓに形成された微細な溝（いわゆる意匠）は、省略されている。【００４５】
本実施例の場合、アウトソール１およびミッドソール２は前足部Ｆ、中足部Ｍおよび後足部Ｒに配置されている。アウトソール１は例えばゴムの発泡体又は非発泡体等で形成され、ミッドソール２よりも耐摩耗性が高く、路面と接する接地面１ｓを有している。【００４６】
ミッドソール２は、例えばＥＶＡなどの樹脂の発泡体で形成され、図２に示すように、アウトソール１の上に配置され、着地の衝撃を緩和するものである。そのため、ミッドソール２はアウトソール１よりも厚く形成されている。【００４７】
ミッドソール２の硬度については、例えばＪＩＳＣ硬度では、４５〜７５度が好ましく、５０〜７０度がより好ましい。【００４８】
本実施例においては、第１横溝Ｇ１、第２横溝Ｇ２、第３横溝Ｇ３および補助的な横溝Ｇ４が前記アウトソール１およびミッドソール２の双方に形成されている。図３に示すように、各横溝Ｇ１〜Ｇ４は、内側縁１０から外側縁１１まで長軸Ａ１に直交ないし交差する斜め方向に延びている。
なお、図１３に明示するように、長軸Ａ１とは、母趾球Ｏ１と小趾球Ｏ５との中点Ｏ３と踵の中心Ｏ４とを結んだ直線上に配置される。【００４９】
図１において、第１横溝Ｇ１は、第１趾〜第３趾の中足趾節関節ＭＰ及び／又は基節骨Ｂ３の骨底Ｂ３０の位置において、内側縁１０から外側縁１１（図３）に至るまで連続的に横方向Ｘに延びる。この第１横溝Ｇ１は中足趾節関節ＭＰの屈曲を容易にする。【００５０】
前記第２横溝Ｇ２は、第１趾のショパール関節ＪＳからリスフラン関節ＪＬの後端ＪＬｂまでの間において、前記内側縁１０から外側縁１１（図３）に至るまで連続的に横方向Ｘに延びる。本実施例の場合、第２横溝Ｇ２は２本（複数本）設けられており、この２本の第２横溝Ｇ２は互いに協働して中足の屈曲領域ＭＡを形成する。
なお、ＮＢは舟状骨、ＣＢは内側楔状骨である。【００５１】
第３横溝Ｇ３は距骨Ｔａの前端Ｔｆから後端Ｔｂまでの間において、前記内側縁１０から外側縁１１（図３）に至るまで連続的に横方向Ｘに延びる。本実施例の場合、第３横溝Ｇ３は２本（複数本）設けられており、この２本の第３横溝Ｇ３は互いに協働して後足の屈曲領域ＢＡを形成する。【００５２】
補助的な横溝Ｇ４は第１中足骨Ｂ４の骨底Ｂ４０または骨体Ｂ４１の真下の位置において前記内側縁１０から外側縁１１（図３）に至るまで連続的に横方向Ｘに延びる。
本実施例の場合、補助的な横溝Ｇ４は２本（複数本）設けられており、この２本の補助的な横溝Ｇ４は互いに協働して補助的な屈曲領域ＳＡを形成する。【００５３】
前記第１〜第４横溝Ｇ１〜Ｇ４は前記靴底の底面つまり本実施例の場合、接地面１ｓから上方に向かって凹むように設けられている。なお、第１横溝Ｇ１はミッドソール２の上面から下方に向かって凹むように形成されてもよい。【００５４】
前記各溝Ｇ１〜Ｇ４は各溝Ｇ１〜Ｇ４を定義する前壁面Ｆｗと前記前壁面Ｆｗに対面する後壁面Ｂｗと天面Ｔ０を有する。【００５５】
本実施例の場合、中足の屈曲領域ＭＡは、前記複数本の第２横溝Ｇ２の前記前壁面Ｆｗのうちの最も前方の前壁面Ｆｗから前記複数本の第２横溝Ｇ２の前記後壁面Ｂｗのうち最も後方の後壁面Ｂｗまでの領域で定義される。前記中足の屈曲領域ＭＡの幅Ｄ２０の平均値は前記第１横溝Ｇ１の平均溝幅Ｄ１よりも大きい。
なお、中足の屈曲領域ＭＡの幅Ｄ２０の平均値は、距骨Ｔａの前端Ｔｆから後端Ｔｂまでの平均距離以下であってもよい。【００５６】
後足の屈曲領域ＢＡは、前記複数本の第３横溝Ｇ３の前記前壁面Ｆｗのうちの最も前方の前壁面Ｆｗから前記複数本の第３横溝Ｇ３の前記後壁面Ｂｗのうち最も後方の後壁面Ｂｗまでの領域で定義される。前記後足の屈曲領域ＢＡの幅Ｄａの平均値は前記第１横溝Ｇ１の平均溝幅Ｄ１よりも大きく、かつ、前記中足の屈曲領域ＭＡの平均溝幅Ｄ２０よりも大きい。【００５７】
本実施例の場合、前記各第３横溝Ｇ３の平均溝幅Ｄ３は、前記第１横溝Ｇ１の平均溝幅Ｄ１よりも大きく、かつ、前記各第２横溝Ｇ２の平均溝幅Ｄ２よりも大きい。【００５８】
ウインドラスによる足のアーチの上昇を期待するには、ソール１，２が中足部Ｍにおいて上向きに凸となるように屈曲変形する必要がある。この際、第２〜第４横溝Ｇ２〜Ｇ４は溝幅が小さくなる可能性がある。また、製造上の問題もある。したがって、第１〜第４横溝Ｇ１〜Ｇ４の各平均溝幅は少なくとも１ｍｍ程度は必要であろう。【００５９】
一方、前記第１〜第４横溝Ｇ１〜Ｇ４の各平均溝幅の最大値は５０ｍｍであろう。この値が５０ｍｍを超えると、足裏を支えるソール自体が下方に沈下し、アーチの低下の要因となる。
以上の観点から、第１〜第４横溝Ｇ１〜Ｇ４の各平均溝幅の範囲は２ｍｍ〜４０ｍｍが好ましく、３ｍｍ〜３０ｍｍ程度が最も好ましい。【００６０】
図１と図２を比べて見て分かるように、各第２〜第４横溝Ｇ２〜Ｇ４は内側縁１０から外側縁１１に向かって浅くなっている。
したがって、前記第２横溝Ｇ２は足の内側の平均深さの方が足の外側の平均深さよりも大きい。同様に、前記第３横溝Ｇ３は足の内側の平均深さの方が足の外側の平均深さよりも大きい。同様に、前記第４横溝Ｇ４は足の内側の平均深さの方が足の外側の平均深さよりも大きい。【００６１】
図２において、前記各第２横溝Ｇ２の平均深さＨ２は、前記第１横溝Ｇ１の平均深さＨ１よりも大きく、かつ、前記各第３横溝Ｇ３の平均深さＨ３と同じか又はそれよりも大きい。
一方、前記補助的な横溝Ｇ４の平均深さＨ４は、前記第２横溝Ｇ２の平均深さＨ２よりも小さく、かつ、前記補助的な横溝Ｇ４の平均溝幅Ｄ４は前記第３横溝Ｇ３の平均溝幅Ｄ３よりも小さい。【００６２】
前記第２および第３横溝Ｇ２，Ｇ３の平均深さＨ２，Ｈ３は、５ｍｍ〜４０ｍｍ程度に設定される。平均深さＨ２，Ｈ３が５ｍｍよりも小さいと本メカニズムによる効果が期待しにくく、一方、４０ｍｍよりも大きいとソールが厚くなりすぎる。かかる観点から前記の値は、好ましくは７ｍｍ〜３５ｍｍで、１０ｍｍ〜３０ｍｍが最も好ましいだろう。【００６３】
前記各第２横溝Ｇ２のうちの少なくとも１本の第２横溝Ｇ２の平均深さＨ２は当該横溝の部分が設けられた真上のミッドソール２の部分の平均肉厚Ｔ２ａよりも大きい。一方、前記第３横溝Ｇ３のうち少なくとも１本の第３横溝Ｇ３の平均深さＨ３は当該横溝の部分が設けられた真上のミッドソール２の部分の平均肉厚Ｔ３ａよりも大きい。【００６４】
前記平均深さと同様の理由から、図１の前記第２および第３横溝Ｇ２，Ｇ３の最大深さＨｍは、５ｍｍ〜４０ｍｍ程度が好ましく、７ｍｍ〜３５ｍｍ程度が更に好ましく、１０ｍｍ〜３０ｍｍ程度が最も好ましい。【００６５】
前記２本の各第２横溝Ｇ２の平均深さＨ２は、前記第１横溝Ｇ１の平均深さＨ１よりも大きく、かつ、前記各第３横溝Ｇ３の平均深さＨ３と同じか又はそれよりも大きい。【００６６】
図１において、前記各第２横溝Ｇ２の最大深さＨｍは当該最大深さを持つ横溝の部分が設けられた真上のミッドソール２の部分の肉厚よりも大きい。一方、前記各第３横溝Ｇ３の最大深さＨｍは当該最大深さを持つ横溝の部分が設けられた真上のミッドソール２の部分の肉厚よりも大きい。【００６７】
図１に示すように、前記ミッドソール２の上面から前記第１横溝Ｇ１の天面Ｔ０までの厚さＴ１は、最も薄い部分において０．５ｍｍ以上１２ｍｍ未満に設定されている。
一方、前記ミッドソール２の上面から前記第２横溝Ｇ２の天面Ｔ０までの厚さＴ２は、最も薄い部分において０．５ｍｍ以上１０ｍｍ以下に設定されている。
また、前記ミッドソール２の上面から前記第３横溝Ｇ３の天面Ｔ０までの厚さＴ３は、最も薄い部分において０．５ｍｍ以上１０ｍｍ以下に設定されている。【００６８】
前記２本の各第３横溝Ｇ３の各平均溝幅Ｄ３は、前記第１横溝Ｇ１の平均溝幅Ｄ１よりも大きく、かつ、前記各第２横溝Ｇ２の平均溝幅Ｄ２よりも大きい。【００６９】
つぎに、本実施例における靴の変形について簡単に説明する。
図１の前足部Ｆが図４の仮想線から実線で示すように上を向いてＭＰ関節ＭＰが第１横溝Ｇ１において伸展すると足底腱膜上方に向かって巻き上げられ、前記足底腱膜が緊張し足のアーチが高くなろうとする。この際、第２〜第４横溝Ｇ２〜Ｇ４の部位において、ソールの下部が長軸方向Ｙに縮み、アウトソール１およびミッドソール２が上に向かって凸形に変形する。そのため、前記動作時に足のアーチが高くなり易い。【００７０】
つぎに、本発明の他の例について説明される。
以下の他の例において、実施例１と同一又は相当部分には同一符号を付して、実施例１と異なる構造についてのみ説明される。【００７１】
図５の実施例２に示すように、前記第２〜第４横溝Ｇ２〜Ｇ４の一部又は全部が、内側縁１０から外側縁１１に向かって長軸Ａ１を超え、かつ、外側縁１１にまで達しない長さに設定されていてもよい。足のアーチは内側が高く、したがって、ソールの内側部が十分に屈曲すれば、ウィンドラスメカニズムによる効果が期待できる。【００７２】
好ましくは、各横溝Ｇ１〜Ｇ４が設けられた部位において、当該部位における内側縁１０から外側縁１１までの全幅に対し２／３程度の横溝Ｇ１〜Ｇ４であればよい。
なお、図５に示した例とは逆に、第２および第３横溝Ｇ２，Ｇ３が全幅にわたって設けられ、第１および第４横溝Ｇ１，Ｇ４が内側縁１０から長軸Ａ１を越えて外側部の一部に至るまで設けられていてもよい。【００７３】
また、図５に示す第１横溝Ｇ１のように、各横溝Ｇ１〜Ｇ４は長軸Ａ１に対し、直交する方向に延びている必要はなく、斜めに横断する方向に延びていてもよい。【００７４】
図６の実施例３において、第３横溝Ｇ３よりも深い第２横溝Ｇ２は単数つまり１本だけ設けられてもよい。この例において、後方の第２横溝Ｇ２の直前方の第２横溝Ｇ２は、深さが第３横溝Ｇ３のうちの一つよりも小さい。【００７５】
この例のように、第３横溝Ｇ３よりも深い第２横溝Ｇ２が１本である場合、当該第２横溝Ｇ２は少なくとも天面Ｔ０が、舟状骨ＮＢの真下に配置されるのが好ましい。舟状骨ＮＢが足のアーチの頂点に位置するからである。【００７６】
図７の実施例４においては、第１横溝Ｇ１、第２横溝Ｇ２および第３横溝Ｇ３が各１本のみ設けられている。この場合、第３横溝Ｇ３の幅Ｄａは後足の屈曲領域ＢＡと概ね合致する。【００７７】
図８および図９の実施例５および６に示すように、第２横溝Ｇ２の幅Ｄ２が全ての各第３横溝Ｇ３の各幅Ｄ３よりも大きくてもよい。また、各実施例において、各横溝Ｇ１〜Ｇ４の断面形状は逆Ｕ字状、逆Ｖ字状、台形状などであってもよい。【００７８】
図１０〜１２は実施例７を示す。
この例においては、前記靴底には図１０の前記第１横溝Ｇ１から前記第３横溝Ｇ３まで延びる縦溝ＧＬが更に形成されている。前記縦溝ＧＬ内にはバンド３の一部が収容されて配置されている。【００７９】
図１１の前記バンド３はバンド部３０と耐摩耗材３１とが互いに積層されて形成されている。耐摩耗材３１は例えばゴムで形成され、バンド部３０よりも摩耗しにくい。一方、バンド部３０は非伸縮性のテープ材で形成されている。したがって、バンド３は引っ張っても殆ど伸びないが、屈曲して緩むことのできる帯状の部材である。【００８０】
前記バンド３は前記第１横溝Ｇ１よりも前方の前記前足部Ｆから前記第３横溝Ｇ３よりも後方の前記後足部Ｒまで延び、前記前足部Ｆおよび前記後足部Ｒにおいて前記靴底に固定されている。【００８１】
図１１に示すように、前記バンド３の底面は、接地面１ｓよりも上方に配置されている。前記前足部Ｆおよび後足部Ｒにおいてバンド３はアウトソール１とミッドソール２との間に挟まれて、バンド３の下面は宙に浮いた状態となっている。【００８２】
図１２に示すように、前記バンド３は爪先の挙上げ時や屈曲時に緊張し、実線で示すように、ソールのアーチが高くなるように中足部Ｍが屈曲するのを助長する。【００８３】
つぎに、本発明の効果を明瞭にするために試験例（Ｓａｍｐｌｅ１，２）および比較例（Ｒｅｆ．）を示す。
まず、サンプルとして、図１〜図４で特定される構造のサンプル１と、図１０〜図１２で特定される構造のサンプル２とを作成した。一方、比較例として深い横溝のない一般的なスクールシューズを用意した。【００８４】
男性１名を被験者として、走行中（３．５ｍｉｎ／ｋｍ）のソールや足部の変形角度を複数本計測し、その平均値を算出した。
図１４Ａの縦軸の角θは、第１趾の挙上角度を示す。図１４Ｂの縦軸の角Ａｓはソールの中足部を中心とする屈曲角度を示す。図１４Ｃの縦軸の角Ａｆは足の縦アーチの屈曲角度を示す。
なお、図１４Ａ〜図１４Ｃにおいて、横軸は着地してから離地するまでの時間を１００分率で表した。【００８５】
図１４Ａから分かるように、サンプル１およびサンプル２は比較例に比べ、ヒールコンタクト、ヒールライズおよびトウオフの期間において、角θ、つまり第１趾の挙上角が大きい。【００８６】
図１４Ｂから分かるように、サンプル１およびサンプル２は比較例に比べ、ヒールコンタクト、ヒールライズおよびトウオフの期間において、角Ａｓ、つまりソールの中足部を中心とする屈曲角度が大きい。特に、バンドを設けたサンプル２はサンプル１よりも更に前記角Ａｓの値が大きいことが分かる。【００８７】
図１４Ｃから分かるように、サンプル１およびサンプル２は比較例に比べ、ヒールコンタクトおいては、角Ａｆ、つまり足の縦アーチの屈曲角度が小さいことが分かる。しかし、
ヒールライズおよびトウオフの期間において、前記角Ａｆが大きい。特にバンド３を設けたサンプル２はサンプル１よりも更に前記角Ａｆの値が大きいことが分かる。【００８８】
以上から、各サンプル１，２の靴はウインドラスメカニズムを発揮し、同サンプル１，２の靴を着用することで足のアーチ高の上昇や維持を図ることが期待できる。【００８９】
以上のとおり、図面を参照しながら好適な実施例を説明したが、当業者であれば、本明細書を見て、自明な範囲で種々の変更および修正を容易に想定するであろう。
たとえば、第１横溝はアウトソール又はミッドソールの一方にのみ設けられてもよい。
また、バンド自体がアラミド繊維等の耐摩耗材で形成されていてもよい。また、バンドを設ける場合、第２横溝Ｇ２と第３横溝Ｇ３とは同じ深さや幅であってもよい。
したがって、そのような変更および修正は、請求の範囲から定まる本発明の範囲内のものと解釈される。
【産業上の利用可能性】
【００９０】
本発明は歩行用、走行用、訓練用等の靴の靴底として利用できる。
【符号の説明】
【００９１】
１：アウトソール  １ｓ：接地面  
２：ミッドソール  
３：バンド  ３０： バンド部  ３１：耐摩耗材
１０：内側縁  １１：外側縁
Ａ１：長軸  
Ｂ３：基節骨  Ｂ３０：骨底
Ｂ４：第１中足骨  Ｂ４０：骨底  Ｂ４１：骨体
ＢＡ：後足の屈曲領域  ＭＡ：中足の屈曲領域  ＳＡ：補助的な屈曲領域
Ｄ１，Ｄ２,Ｄ３，Ｄ４：平均溝幅  Ｄａ,Ｄ２０：幅
Ｂｗ：後壁面  Ｆｗ：前壁面  Ｔ０：天面
Ｆ：前足部  Ｍ：中足部  Ｒ：後足部
Ｇ１：第１横溝  Ｇ２：第２横溝  Ｇ３：第３横溝  Ｇ４：補助的な横溝  ＧＬ：縦溝
Ｈ１，Ｈ２，Ｈ３,Ｈ４：平均深さ  Ｈｍ：最大深さ
ＪＳ：ショパール関節  ＪＬ：リスフラン関節  ＪＬｂ：後端
ＮＢ：舟状骨  ＣＢ：内側楔状骨
ＭＰ：中足趾節関節
Ｔａ：距骨  Ｔｂ：後端  Ｔｆ：前端
Ｔ１，Ｔ２，Ｔ３：厚さ
Ｔ２ａ，Ｔ３ａ：平均肉厚
Ｘ：横方向  Ｙ：長軸方向
【図１】
2014068635.tif 000003
【図２】
2014068635.tif 000004
【図３】
2014068635.tif 000005
【図４】
2014068635.tif 000006
【図５】
2014068635.tif 000007
【図６】
2014068635.tif 000008
【図７】
2014068635.tif 000009
【図８】
2014068635.tif 000010
【図９】
2014068635.tif 000011
【図１０】
2014068635.tif 000012
【図１１】
2014068635.tif 000013
【図１２】
2014068635.tif 000014
【図１３】
2014068635.tif 000015
【図１４】
2014068635.tif 000016
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
靴底であって、
接地面１ｓを有し少なくとも前足部Ｆおよび後足部Ｒに配置されたアウトソール１と、
前記アウトソール１の上方に配置され前記前足部Ｆ、中足部Ｍおよび後足部Ｒに設けられたミッドソール２とを備え、前記アウトソール１及び／又はミッドソール２は、
第１趾〜第３趾の中足趾節関節ＭＰ及び／又は基節骨の骨底Ｂ３０の位置において、内側縁１０から少なくとも足の長軸Ａ１に至るまで連続的に横方向に延びる第１横溝Ｇ１と、
第１趾のショパール関節ＪＳからリスフラン関節ＪＬの後端ＪＬｂまでの間において、前記内側縁１０から少なくとも前記長軸Ａ１に至るまで連続的に横方向Ｘに延びる少なくとも１本の第２横溝Ｇ２と、
距骨Ｔａの前端Ｔｆから後端Ｔｂまでの間において、前記内側縁１０から少なくとも前記長軸Ａ１に至るまで連続的に横方向Ｘに延びる少なくとも１本の第３横溝Ｇ３とを定義し、ここにおいて、
前記第２および第３横溝Ｇ３は前記靴底の底面１ｓ，２ｓから上方に向かって凹むように設けられ、
前記各溝Ｇ１〜Ｇ３は各溝を定義する前壁面Ｆｗと前記前壁面Ｆｗに対面する後壁面Ｂｗとを有し、
前記少なくとも１本の第３横溝Ｇ３の前記前壁面Ｆｗのうち最も前方の前壁面Ｆｗから前記少なくとも１本の第３横溝Ｇ３の前記後壁面Ｂｗのうち最も後方の後壁面Ｂｗまでの屈曲領域ＢＡの幅Ｄａの平均値が前記第１横溝Ｇ１の平均溝幅Ｄ１よりも大きく、かつ、前記第２横溝Ｇ２の平均溝幅Ｄ２よりも大きく、
前記少なくとも１本の第２横溝Ｇ２の平均深さＨ２は、前記第１横溝Ｇ１の平均深さＨ１よりも大きく、かつ、前記第３横溝Ｇ３の平均深さＨ３と同じか又はそれよりも大きい。
【請求項２】
請求項１の靴底において、前記第３横溝Ｇ３のうち少なくとも１本の第３横溝Ｇ３の平均溝幅Ｄ３は、前記第１横溝Ｇ１の平均溝幅Ｄ１よりも大きく、かつ、前記第２横溝Ｇ２の平均溝幅Ｄ２よりも大きい。
【請求項３】
請求項２において、第１中足骨Ｂ４の骨底Ｂ４０または骨体Ｂ４１の真下の位置に前記内側縁１０から少なくとも前記長軸Ａ１に至るまで連続的に横方向Ｘに延びる補助的な横溝Ｇ４が更に設けられている。
【請求項４】
請求項３において、前記補助的な横溝Ｇ４の平均深さＨ４は前記第２横溝Ｇ２の平均深さＨ２よりも小さく、かつ、前記補助的な横溝Ｇ４の平均溝幅は前記第３横溝Ｇ３のうちの少なくとも１本の第３横溝Ｇ３の平均溝幅Ｄ３よりも小さい。
【請求項５】
請求項１の靴底において、
前記第１横溝Ｇ１は前記接地面１ｓから上方に向かって凹んでいる。
【請求項６】
請求項５の靴底において、前記各溝Ｇ１〜Ｇ３は前記前壁面Ｆｗおよび後壁面Ｂｗと上方の天面Ｔ０とで定義され、
前記ミッドソール２の上面から前記第１横溝Ｇ１の天面Ｔ０までの厚さＴ１が、最も薄い部分において０．５ｍｍ以上１２ｍｍ未満に設定され、
前記ミッドソール２の上面から前記第２横溝Ｇ２の天面Ｔ０までの厚さＴ２が、最も薄い部分において０．５ｍｍ以上１０ｍｍ以下に設定され、
前記ミッドソール２の上面から前記第３横溝Ｇ３の天面Ｔ０までの厚さＴ３が、最も薄い部分において０．５ｍｍ以上１０ｍｍ以下に設定されている。
【請求項７】
請求項１の靴底において、
前記第２および第３横溝Ｇ２，Ｇ３の最大深さＨｍは５ｍｍ以上４０ｍｍ以下で、
前記第２横溝Ｇ２の最大深さＨｍは当該最大深さを持つ横溝の部分が設けられた真上のミッドソール２の部分の肉厚よりも大きく、
前記第３横溝Ｇ３の最大深さＨｍは当該最大深さを持つ横溝の部分が設けられた真上のミッドソール２の部分の肉厚よりも大きい。
【請求項８】
請求項１の靴底において、
前記第２および第３横溝Ｇ２，Ｇ３の平均深さＨ２，Ｈ３は５ｍｍ以上４０ｍｍ以下で、
前記少なくとも１本の第２横溝Ｇ２の平均深さＨ２は当該横溝の部分が設けられた真上のミッドソール２の部分の平均肉厚Ｔ２ａよりも大きく、
前記少なくとも１本の第３横溝Ｇ３の平均深さＨ３は当該横溝の部分が設けられた真上のミッドソール２の部分の平均肉厚Ｔ３ａよりも大きい。
【請求項９】
請求項１の靴底において、
前記第２横溝Ｇ２は靴底を横断するように前記内側縁１０から足の外側縁１１まで連続的に延びており、
前記第２横溝Ｇ２は足の内側の平均深さの方が足の外側の平均深さよりも大きい。
【請求項１０】
請求項１の靴底において、
前記第３横溝Ｇ３は靴底を横断するように前記内側縁１０から足の外側縁１１まで連続的に延びており、
前記第３横溝Ｇ３は足の内側の平均深さの方が足の外側の平均深さよりも大きい。
【請求項１１】
請求項１の靴底において、
前記第２横溝Ｇ２は複数本設けられ、前記少なくとも２本の各第２横溝Ｇ２の平均深さＨ２は、前記第１横溝Ｇ１の平均深さＨ１よりも大きく、かつ、前記第３横溝Ｇ３の平均深さＨ３と同じか又はそれよりも大きい。
【請求項１２】
請求項２の靴底において、
前記第３横溝Ｇ３は複数本設けられ、前記第３横溝Ｇ３のうち少なくとも２本の各第３横溝Ｇ３の平均溝幅は、前記第１横溝Ｇ１の平均溝幅Ｄ１よりも大きく、かつ、前記第２横溝Ｇ２の平均溝幅Ｄ２よりも大きい。
【請求項１３】
請求項１の靴底において、
前記靴底には前記第１横溝Ｇ１から前記第３横溝Ｇ３まで延びる縦溝ＧＬが更に形成され、
前記縦溝ＧＬ内に配置され、前記第１横溝Ｇ１よりも前方の前記前足部Ｆから前記第３横溝Ｇ３よりも後方の前記後足部Ｒまで延び、前記前足部Ｆおよび前記後足部Ｒにおいて前記靴底に固定され、前記ミッドソール２およびアウトソール１よりも伸びにくい素材からなるバンド部３０を更に備える。
【請求項１４】
請求項１３の靴底において、
前記バンド部３０の下面には当該バンド部３０よりも摩耗しにくい耐摩耗材３１が付着され、前記バンド部３０と前記耐摩耗材３１とでバンド３が形成されている。
【請求項１５】
請求項１４の靴底において、
前記バンド３の底面は、接地面１ｓよりも上方に配置されている。
【手続補正２】
【補正対象書類名】明細書
【補正対象項目名】０００９
【補正方法】変更
【補正の内容】
【０００９】
本発明の靴底は、
接地面を有し少なくとも前足部および後足部に配置されたアウトソールと、
前記アウトソールの上方に配置され前記前足部、中足部および後足部に設けられたミッドソールとを備え、前記アウトソール及び／又はミッドソールは、
第１趾〜第３趾の中足趾節関節及び／又は基節骨の骨底の位置において、内側縁から少なくとも足の長軸に至るまで連続的に横方向に延びる第１横溝と、
第１趾のショパール関節からリスフラン関節の後端までの間において、前記内側縁から少なくとも前記長軸に至るまで連続的に横方向に延びる少なくとも１本の第２横溝と、
距骨の前端から後端までの間において、前記内側縁から少なくとも前記長軸に至るまで連続的に横方向に延びる少なくとも１本の第３横溝とを定義し、ここにおいて、
前記第２および第３横溝は前記靴底の底面から上方に向かって凹むように設けられ、
前記各溝は各溝を定義する前壁面と前記前壁面に対面する後壁面とを有し、
前記少なくとも１本の第３横溝の前記前壁面のうち最も前方の前壁面から前記少なくとも１本の第３横溝の前記後壁面のうち最も後方の後壁面までの屈曲領域の幅の平均値が前記第１横溝の平均溝幅よりも大きく、かつ、前記第２横溝の平均溝幅よりも大きく、
前記少なくとも１本の第２横溝の平均深さは、前記第１横溝の平均深さよりも大きく、かつ、前記第３横溝の平均深さと同じか又はそれよりも大きい。
【手続補正３】
【補正対象書類名】明細書
【補正対象項目名】００２０
【補正方法】変更
【補正の内容】
【００２０】
好ましくは、前記第３横溝のうち少なくとも１本の第３横溝の平均溝幅は、前記第１横溝の平均溝幅よりも大きく、かつ、前記第２横溝の平均溝幅よりも大きい。
この場合、後足部の屈曲性能は更に高まるだろう。
【手続補正４】
【補正対象書類名】明細書
【補正対象項目名】００２７
【補正方法】変更
【補正の内容】
【００２７】
好ましくは、前記第２および第３横溝の最大深さは５ｍｍ以上４０ｍｍ以下で、
前記第２横溝の最大深さは当該最大深さを持つ横溝の部分が設けられた真上のミッドソールの部分の肉厚よりも大きく、
前記第３横溝の最大深さは当該最大深さを持つ横溝の部分が設けられた真上のミッドソールの部分の肉厚よりも大きい。
【手続補正５】
【補正対象書類名】明細書
【補正対象項目名】００２９
【補正方法】変更
【補正の内容】
【００２９】
好ましくは、前記第２および第３横溝の平均深さは５ｍｍ以上４０ｍｍ以下で、
前記少なくとも１本、好ましくは２本以上の第２横溝の平均深さは当該横溝の部分が設けられた真上のミッドソールの部分の平均肉厚よりも大きく、
前記少なくとも１本の第３横溝の平均深さは当該横溝の部分が設けられた真上のミッドソールの部分の平均肉厚よりも大きい。
【手続補正６】
【補正対象書類名】明細書
【補正対象項目名】００３５
【補正方法】変更
【補正の内容】
【００３５】
足のアーチは外側よりも内側の方が高い。したがって、第３横溝の平均深さは内側の方が外側よりも大きいことで、足のアーチの上昇に伴って靴底が屈曲し易い。
好ましくは、前記第２横溝は複数本設けられ、前記少なくとも２本の各第２横溝の平均深さは、前記第１横溝の平均深さよりも大きく、かつ、前記第３横溝の平均深さと同じか又はそれよりも大きい。
この場合、中足部が滑らかに屈曲し易い。
【手続補正７】
【補正対象書類名】明細書
【補正対象項目名】００３６
【補正方法】変更
【補正の内容】
【００３６】
好ましくは、前記第３横溝は複数本設けられ、前記第３横溝のうち少なくとも２本の各第３横溝の平均溝幅は、前記第１横溝の平均溝幅よりも大きく、かつ、前記第２横溝の平均溝幅よりも大きい。
この場合、足のアーチの後部に沿って中足部の後端が滑らかに屈曲し易い。
【手続補正８】
【補正対象書類名】明細書
【補正対象項目名】００４９
【補正方法】変更
【補正の内容】
【００４９】
図１において、第１横溝Ｇ１は、第１趾〜第３趾の中足趾節関節ＭＰ及び／又は基節骨の骨底Ｂ３０の位置において、内側縁１０から外側縁１１（図３）に至るまで連続的に横方向に延びる。この第１横溝Ｇ１は中足趾節関節ＭＰの屈曲を容易にする。
【手続補正９】
【補正対象書類名】明細書
【補正対象項目名】００５０
【補正方法】変更
【補正の内容】
【００５０】
前記第２横溝Ｇ２は、第１趾のショパール関節ＪＳからリスフラン関節ＪＬの後端ＪＬｂまでの間において、前記内側縁１０から外側縁１１（図３）に至るまで連続的に横方向に延びる。本実施例の場合、第２横溝Ｇ２は２本（複数本）設けられており、この２本の第２横溝Ｇ２は互いに協働して中足の屈曲領域ＭＡを形成する。
なお、ＮＢは舟状骨、ＣＢは内側楔状骨である。
【手続補正１０】
【補正対象書類名】明細書
【補正対象項目名】００５１
【補正方法】変更
【補正の内容】
【００５１】
第３横溝Ｇ３は距骨Ｔａの前端Ｔｆから後端Ｔｂまでの間において、前記内側縁１０から外側縁１１（図３）に至るまで連続的に横方向に延びる。本実施例の場合、第３横溝Ｇ３は２本（複数本）設けられており、この２本の第３横溝Ｇ３は互いに協働して後足の屈曲領域ＢＡを形成する。
【手続補正１１】
【補正対象書類名】明細書
【補正対象項目名】００５２
【補正方法】変更
【補正の内容】
【００５２】
補助的な横溝Ｇ４は第１中足骨Ｂ４の骨底Ｂ４０または骨体Ｂ４１の真下の位置において前記内側縁１０から外側縁１１（図３）に至るまで連続的に横方向に延びる。
本実施例の場合、補助的な横溝Ｇ４は２本（複数本）設けられており、この２本の補助的な横溝Ｇ４は互いに協働して補助的な屈曲領域ＳＡを形成する。
【手続補正１２】
【補正対象書類名】明細書
【補正対象項目名】００６９
【補正方法】変更
【補正の内容】
【００６９】
つぎに、本実施例における靴の変形について簡単に説明する。
図１の前足部Ｆが図４の仮想線から実線で示すように上を向いてＭＰ関節ＭＰが第１横溝Ｇ１において伸展すると足底腱膜上方に向かって巻き上げられ、前記足底腱膜が緊張し足のアーチが高くなろうとする。この際、第２〜第４横溝Ｇ２〜Ｇ４の部位において、ソールの下部が長軸方向に縮み、アウトソール１およびミッドソール２が上に向かって凸形に変形する。そのため、前記動作時に足のアーチが高くなり易い。
【手続補正１３】
【補正対象書類名】明細書
【補正対象項目名】００９１
【補正方法】変更
【補正の内容】
【００９１】
１：アウトソール  １ｓ：接地面  
２：ミッドソール  
３：バンド  ３０： バンド部  ３１：耐摩耗材
１０：内側縁  １１：外側縁
Ａ１：長軸  
Ｂ３０：骨底
Ｂ４：第１中足骨  Ｂ４０：骨底  Ｂ４１：骨体
ＢＡ：後足の屈曲領域  ＭＡ：中足の屈曲領域  ＳＡ：補助的な屈曲領域
Ｄ１，Ｄ２,Ｄ３，Ｄ４：平均溝幅  Ｄａ,Ｄ２０：幅
Ｂｗ：後壁面  Ｆｗ：前壁面  Ｔ０：天面
Ｆ：前足部  Ｍ：中足部  Ｒ：後足部
Ｇ１：第１横溝  Ｇ２：第２横溝  Ｇ３：第３横溝  Ｇ４：補助的な横溝  ＧＬ：縦溝
Ｈ１，Ｈ２，Ｈ３,Ｈ４：平均深さ  Ｈｍ：最大深さ
ＪＳ：ショパール関節  ＪＬ：リスフラン関節  ＪＬｂ：後端
ＮＢ：舟状骨  ＣＢ：内側楔状骨
ＭＰ：中足趾節関節
Ｔａ：距骨  Ｔｂ：後端  Ｔｆ：前端
Ｔ１，Ｔ２，Ｔ３：厚さ
Ｔ２ａ，Ｔ３ａ：平均肉厚    
【国際調査報告】
2014068635.tif 000017
2014068635.tif 000018
2014068635.tif 000019
2014068635.tif 000020